(57)【要約】【課題】洗濯等により反射材が劣化するのを防ぐことができる衣服を提供する。【解決手段】上着の衣服本体１は、着用者の胴を被う胴部２と、着用者の腕を被う左右の腕部３とを有する。衣服本体１の胴部２周りには、複数本のベルトループ４が設けられ、ベルト５を通すことができる。ベルト５の表面の全面には、再帰性反射材６が設けられている。このように再帰性反射材６を設けたベルト５が着脱可能となっているので、再帰性反射材６を取り外して、衣服本体１だけを洗濯することができる。これにより、洗濯により再帰性反射材６が劣化するのを避けることができる。【選択図】図１
0003217470.tif 000002
【実用新案登録請求の範囲】
【請求項１】
衣服本体と、
前記衣服本体の所定の部位周りに設けられた複数本のベルトループと、
前記複数本のベルトループに通すことのできるベルトと、
前記ベルトの表面に設けられた反射材とを備えたことを特徴とする衣服。
【請求項２】
前記複数本のベルトループのうちの一のベルトループが他のベルトループと比べて幅広であり、前記一のベルトループが前記ベルトに設けられたバックルを覆うことを特徴とする請求項１に記載の衣服。
【請求項３】
前記ベルトループの位置と異なる位置において前記衣服本体と前記ベルトとを係止する係止部材が設けられていることを特徴とする請求項１又は２に記載の衣服。
【請求項４】
前記ベルトは少なくともその一部に伸縮性を有することを特徴とする請求項１乃至３のいずれか１項に記載の衣服。
【請求項５】
前記ベルトはその一部に伸縮性を有する伸縮部を有し、前記ベルトを挿通させて前記伸縮部を覆う筒状の布パーツを備え、前記布パーツの表面に反射材が設けられていることを特徴とする請求項４に記載の衣服。
【請求項６】
当該衣服は上着であり、前記衣服本体の胴部周りに前記複数本のベルトループが設けられることを特徴とする請求項１乃至５のいずれか１項に記載の衣服。
【請求項７】
当該衣服は上着であり、前記衣服本体の左右いずれか一方の肩から他方の脇に掛けての部位周りに前記複数本のベルトループが設けられることを特徴とする請求項１乃至５のいずれか１項に記載の衣服。
【請求項８】
当該衣服は上着であり、前記衣服本体の腕部周りに前記複数本のベルトループが設けられることを特徴とする請求項１乃至７のいずれか１項に記載の衣服。
【請求項９】
当該衣服はズボンであり、前記衣服本体の脚部周りに前記複数本のベルトループが設けられることを特徴とする請求項１乃至５のいずれか１項に記載の衣服。
【考案の詳細な説明】
【技術分野】
【０００１】
本考案は、反射材が取り付けられる衣服に関する。
【背景技術】
【０００２】
主に夜間や暗所における着用者の視認性を高めることを目的として、再帰性反射材を取り付けた衣服が実用化されている。高視認性安全服として規格される衣服では、帯状の再帰性反射材が胴部等を一周するように取り付けられる（例えば特許文献１を参照のこと）。
【先行技術文献】
【特許文献】
【０００３】
【特許文献１】特開２０１７−１８６６８３号公報
【考案の概要】
【考案が解決しようとする課題】
【０００４】
再帰性反射材は、入射光を光源の方向にまっすぐ戻す再帰性反射を実現したものであり、ガラスビーズで光を屈折させるタイプやプリズムで光を屈折させるタイプがある。このような再帰性反射材は、洗濯を繰り返すと、ガラスビーズが剥離したり、プリズムが摩耗したりして劣化してしまう。そのため、衣服本体にシート状の再帰性反射材が縫合等された衣服では、例えば工業洗濯のような激しい洗濯を繰り返すと、衣服本体の劣化に比べて再帰性反射材が大きく劣化してしまい、結果として衣服を使用できなくなることがあった。
【０００５】
本考案は上記のような点に鑑みてなされたものであり、洗濯等により反射材が劣化するのを防ぐことができる衣服を提供することを目的とする。
【課題を解決するための手段】
【０００６】
本考案の衣服は、衣服本体と、前記衣服本体の所定の部位周りに設けられた複数本のベルトループと、前記複数本のベルトループに通すことのできるベルトと、前記ベルトの表面に設けられた反射材とを備えたことを特徴とする。
また、本考案の衣服の他の特徴とするところは、前記複数本のベルトループのうちの一のベルトループが他のベルトループと比べて幅広であり、前記一のベルトループが前記ベルトに設けられたバックルを覆う点にある。
また、本考案の衣服の他の特徴とするところは、前記ベルトループの位置と異なる位置において前記衣服本体と前記ベルトとを係止する係止部材が設けられている点にある。
また、本考案の衣服の他の特徴とするところは、前記ベルトは少なくともその一部に伸縮性を有する点にある。例えば前記ベルトはその一部に伸縮性を有する伸縮部を有し、前記ベルトを挿通させて前記伸縮部を覆う筒状の布パーツを備え、前記布パーツの表面に反射材が設けられるようにしてもよい。
本考案の衣服は例えば上着であり、前記衣服本体の胴部周り、前記衣服本体の左右いずれか一方の肩から他方の脇に掛けての部位周り、又は前記衣服本体の腕部周りに前記複数本のベルトループが設けられる。或いは、本考案の衣服は例えばズボンであり、前記衣服本体の脚部周りに前記複数本のベルトループが設けられる。
【考案の効果】
【０００７】
本考案によれば、洗濯等により反射材が劣化するのを防ぐことができる衣服を提供することができる。
【図面の簡単な説明】
【０００８】
【図１】第１の実施形態に係る上着の概要を示す正面図である。
【図２】第１の実施形態に係る上着の概要を示す背面図である。
【図３】ベルトのバックルの例を説明するための図である。
【図４】第１の実施形態に係るズボンの概要を示す正面図である。
【図５】第２の実施形態に係る上着の概要を示す正面図である。
【図６】ベルトの例を説明するための図である。
【考案を実施するための形態】
【０００９】
以下、添付図面を参照して、本考案の好適な実施形態について説明する。
（第１の実施形態）
図１、図２は、第１の実施形態に係る衣服である上着の概要を示す正面図、背面図である。
第１の実施形態では、ジャンパー（或いはブルゾン）タイプの上着を例とする。上着の衣服本体１は、イエロー、オレンジレッド、レッド等の蛍光色の生地を用いて縫製されており、着用者の胴を被う胴部２（身頃部とも呼ばれる）と、着用者の腕を被う左右の腕部３（袖部とも呼ばれる）とを有する。衣服本体１は、スライドファスナ等による前開き構造となっている。
【００１０】
衣服本体１の胴部２周りには、複数本のベルトループ４（ベルト通しとも呼ばれる）が設けられる。なお、本実施形態では、上下の２箇所においてそれぞれ胴部２周りに複数本のベルトループ４が設けられ、次に述べるようにベルト５が装着されるが、上下で同じ構成であるので、以下では特に上下の区別なく説明するものとする。
【００１１】
ベルトループ４は、例えば衣服本体１と同じ生地を用いて帯状に縫製され、その端部が上下方向に向くようにして衣服本体１に縫合等される。
【００１２】
胴部２周りに設けられた複数本のベルトループ４には、ベルト５を通すことができる。これにより、衣服本体１にベルト５が着脱可能に装着される。ベルト５の表面（外向きになる面）の全面には、再帰性反射材６が設けられている。ベルト５は、例えば衣服本体１と同じ生地を用いて帯状に縫製され、その表面の全面に、ベルト５に合わせて帯状にしたシート状の再帰性反射材６が縫合等される。
【００１３】
ベルト５は、バックル７により開閉可能となっている。バックル７は、例えば図３に示すように、ベルト５の一端に設けられた樹脂製のオス部７ａと、ベルト５の他端に設けられた樹脂製のメス部７ｂとを備える。オス部７ａをメス部７ｂに挿入することにより閉じるようにセットでき、セット状態においてメス部７から露出するオス部７ａの両サイド部７ｃを押すことによってワンタッチでリリースできるようになっている。なお、バックル７は、厚みが薄く、ベルト５の厚みと同程度であることが好ましい。また、バックル７は、再帰性反射材６が途切れる箇所になることから、ベルト５の長手方向の寸法が短いものが好ましい。
【００１４】
ベルト５は、通常のベルトのように衣服を締め付けるためのものではなく、再帰性反射材６を取り付け及び取り外しすることを目的として装着するものである。したがって、ベルト５の長さは調節可能にしなくてもよく、衣服本体１の胴部２周りの寸法に合わせておけばよい。
【００１５】
ここで、複数本のベルトループ４のうちの一のベルトループ４ａは、他のベルトループ４と比べて幅広となっている。そして、図１に示すように、この一のベルトループ４ａによって、セット状態にあるバックル７のすべて或いは大部分を覆うことができる。
【００１６】
高視認性安全服の規格では、帯状の再帰性反射材が途切れる隙間は、胴部一周で１００ｍｍを超えてはならないと規定されている。したがって、高視認性安全服の規格に準拠する衣服とする場合は、胴部２一周での複数本のベルトループ４の幅の合計が１００ｍｍを超えないようにその本数や幅を定める。
【００１７】
また、ベルトループ４の位置と異なる位置において、衣服本体１とベルト５とをドットボタン８によって係止するようにしてもよい。衣服本体１の表面及びベルト５の裏面のうち一方にドットボタン８のオスを、他方にメスを設けておき、ベルト５をベルトループ４に通した後、オス・メスを嵌め合わせる。
【００１８】
このように衣服本体１とベルト５とを係止するのは、主に次の２つの理由からである。
一つは、隣同士のベルトループ４間で衣服本体１とベルト５との間に隙間ができないようにするためである。着用者の姿勢等によっては、隣同士のベルトループ４間でベルト５が衣服本体１に対して浮き上がるおそれがあるため、それを防ぐものである。この観点からいえば、隣同士のベルトループ４間の略中央位置にドットボタン８を配置するのが好ましい。
もう一つは、ベルト５がその長手方向にずれ動かないようにするためである。ベルト５がずれ動くと、一のベルトループ４ａによって覆われているバックル７が露出してしまうため、それを防ぐものである。この観点からいえば、一のベルトループ４ａ及びバックル７の近くにドットボタン８を配置するのが好ましい。
これらの観点から、適宜な位置に適宜な数のドットボタン８を配置する。なお、本実施形態では、本考案でいう係止部材としてドットボタン８を用いたが、これに限られず、例えば面ファスナ等を用いてもよい。
【００１９】
また、図１、図２に示すように、衣服本体１の腕部３周りにおいても、複数本のベルトループ４が設けられ、ベルト５を着脱可能に装着することができる。ベルト５の表面（外向きになる面）の全面に再帰性反射材６が設けられている。なお、腕部３周りにベルト５を装着する構成は、胴部２周りにベルト５を装着する構成と対比して、サイズは異なるが、基本的構成が変わるものではなく、同じ符号を付すとともに、その説明を省略する。
高視認性安全服の規格では、帯状の再帰性反射材が途切れる隙間は、腕部一周で５０ｍｍを超えてはならないと規定されている。したがって、高視認性安全服の規格に準拠する衣服とする場合は、腕部３一周での複数本のベルトループ４の幅の合計が５０ｍｍを超えないようにその本数や幅を定める。
【００２０】
以上のように、再帰性反射材６を設けたベルト５が着脱可能となっているので、ベルト５を取り外して、すなわち再帰性反射材６を取り外して、衣服本体１だけを洗濯することができる。これにより、洗濯により再帰性反射材６が劣化するのを防ぐことができる。また、再帰性反射材６が劣化したときには、衣服本体１はそのままで、再帰性反射材６を設けたベルト５だけを新品に交換することもできる。
【００２１】
また、ベルト５をベルトループ４に通して着脱可能に装着する構成にしたので、比較的簡単に再帰性反射材６を取り付け及び取り外しすることができる。特に胴部２周りにベルト５を装着する構成では、上着を着用したままでも、普段行っているのと同様にベルト５を着脱することができる。
再帰性反射材を取り外し可能とするために、例えば帯状にしたシート状の再帰性反射材を、ドットボタンだけで衣服本体に取り付ける構成も考えられる。すなわち、衣服本体１の表面及びシート状の再帰性反射材の裏面に対となるドットボタンのオス・メスが配設される構成である。しかしながら、再帰性反射材を取り付ける際にドットボタンを一つずつ嵌め合わせなければならず、再帰性反射材の取り付けに手間がかかってしまう。また、帯状にしたシート状の再帰性反射材を、面ファスナだけで衣服本体に取り付ける構成も考えられる。すなわち、衣服本体１の表面及びシート状の再帰性反射材の裏面に対となる面ファスナ素材が配設される構成である。しかしながら、特に胴部一周のように長い面ファスナを配置すると、意図しない位置で面ファスナ素材が接合して、それを接合しなおす等、再帰性反射材の取り付けに手間がかかってしまう。また、面ファスナは糸くず等が付着しやすく（特に面ファスナ素材が露出した状態で洗濯したとき等）、接着力が減ずることがある。
【００２２】
本実施形態では上着を説明したが、本考案は例えばズボンにも適用することができる。
図４は、第１の実施形態に係る衣服であるズボンの概要を示す正面図である。
図４に示すように、ズボンの衣服本体９は、イエロー、オレンジレッド、レッド等の蛍光色の生地を用いて縫製されており、着用者の脚を被う左右の脚部１０を有する。
衣服本体９の脚部１０周りに複数本のベルトループ４が設けられ、ベルト５を着脱可能に装着することができる。ベルト５の表面（外向きになる面）の全面に再帰性反射材６が設けられている。なお、脚部１０周りにベルト５を装着する構成は、胴部２周りや腕部３周りにベルト５を装着する構成と対比して、サイズは異なるが、基本的構成が変わるものではなく、同じ符号を付すとともに、その説明を省略する。
【００２３】
（第２の実施形態）
第１の実施形態では、衣服本体１を蛍光色とする等、作業服を想定しているが、衣服の用途は限定されるものではなく、例えば自転車の乗員が着用するような衣服としてもよい。
図５は、第２の実施形態に係る衣服である上着の概要を示す正面図である。
第２の実施形態では、ベストタイプの上着を例とする。上着の衣服本体１１は、所定の生地（メッシュ素材等でもよい）を用いて縫製されており、着用者の胴を被う胴部１２を有する。衣服本体１１は、スライドファスナ等による前開き構造となっている。
衣服本体１１の左右いずれか一方の肩から他方の脇に掛けての部位周りに複数本のベルトループ４が設けられ、ベルト５を着脱可能に装着することができる。ベルト５の表面（外向きになる面）の全面に再帰性反射材６が設けられている。なお、左右いずれか一方の肩から他方の脇に掛けての部位周りにベルト５を装着する構成は、第１の実施形態で述べた胴部２周りにベルト５を装着する構成等と対比して、サイズは異なるが、基本的構成が変わるものではなく、同じ符号を付すとともに、その説明を省略する。
本実施形態では、再帰性反射材６を設けたベルト５が、たすきのように着用者の上半身において斜めに延伸する。例えば自転車の乗員を背中側から見るような状況では、胴部２周りのベルト５のように水平方向に延伸するものよりも視認性を高めることができる。
【００２４】
以上、本考案を実施形態と共に説明したが、上記実施形態は本考案を実施するにあたっての具体化の例を示したものに過ぎず、これらによって本考案の技術的範囲が限定的に解釈されてはならないものである。すなわち、本考案はその技術思想、又はその主要な特徴から逸脱することなく、様々な形で実施することができる。また、実施形態を適宜組み合わせてもよい。
【００２５】
例えば図６に示すように、ベルト５が伸縮性を有するようにしてもよい。図６（ａ）の例では、ベルト５の一部をゴム布製として、伸縮性を有する伸縮部５ａとする。再帰性反射材に伸縮性を持たせることは難しいので、ベルト５の表面（外向きになる面）のうち伸縮部５ａを除く面に再帰性反射材６が設けられる。このようにベルト５が伸縮性を有することにより、着用者が姿勢を変えるとき等でもそれに追従させてベルト５が衣服本体１、９、１１に密着することになり、ベルト５が衣服本体１に対して浮き上がりにくくなる。したがって、上述したドットボタン８等の係止部材をなくす、或いはその数を減らすことができる。
なお、図６（ｂ）に示すように、両端が開口する筒状の布パーツ１３にベルト５を挿通し、この布パーツ１３により伸縮部５ａを覆うようにしてもよい。布パーツ１３は、例えば衣服本体１と同じ生地を用いて筒状に縫製され、伸縮部５ａを覆うように配置される。この場合に、図６（ｂ）の縫合部１３ａに示すように、布パーツ１３は、伸縮部５ａの中央部に縫合される。これにより、布パーツ１３が伸縮部５ａを覆う位置からずれ動かないようにするとともに、伸縮部分５ａによるベルト５の伸縮を妨げることもない。布パーツ１３の表面（外向きになる面）の全面には、再帰性反射材６が設けられている。これにより、ベルト５に伸縮部５ａを設ける場合にも、再帰性反射材６が途切れる箇所ができないようにすることができる。
【符号の説明】
【００２６】
１、９、１１：衣服本体、２、１２：胴部、３：腕部、４、４ａ：ベルトループ、５ベルト、５ａ：ゴム布製部分、６：再帰性反射材、７：バックル、８：ドットボタン、１０脚部
【図１】
0003217470.tif 000003
【図２】
0003217470.tif 000004
【図３】
0003217470.tif 000005
【図４】
0003217470.tif 000006
【図５】
0003217470.tif 000007
【図６】
0003217470.tif 000008